(57)【特許請求の範囲】
【請求項１】
開口を有する筐体と、
前記開口から前記筐体に収容される面状光源とを有する照明器具であって、
前記筐体は前記面状光源とは異なる光源を取り付けるソケットを有し、
前記ソケットは、前記面状光源とは異なる光源への給電とは独立に、前記面状光源に給電するためのリードを備え、
前記面状光源は前記開口から露出しない面に係合部を有することにより、前記係合部を前記筐体内部に設けられた係受部に係合させるように構成され、
前記リードは、前記筐体内の、前記面状光源とは異なる光源が装着された状態の前記ソケットと、前記ソケットよりも前記開口側に位置する前記面状光源と、の間の空間において収納されている照明器具。
【請求項２】
請求項１に記載の照明器具であって、
前記筐体内に収納された給電部を具備し、
前記給電部と前記面状光源との間に反射面を具備してなる照明器具。
【請求項３】
請求項２に記載の照明器具であって、
前記面状光源は、面発光モジュールであり、
前記反射面は、前記面発光モジュールの反射性電極である照明器具。
【請求項４】
請求項３に記載の照明器具であって、
前記面発光モジュールは、支持基板上に、第１電極と、発光機能層と、第２電極とを順次積層するとともに、前記第１及び第２電極が前記支持基板の１辺側に導出され、前記第１及び第２電極にそれぞれ接続された第１及び第２端子を備えた給電端子部と、を具備した有機エレクトロルミネッセンス素子を具備し、
前記給電部は、前記有機エレクトロルミネッセンス素子の１辺をコの字状に覆うホルダを具備し、
前記第１端子と前記第２端子は、同一辺の端縁を挟んで相対向する面上に設けられ、前記ホルダ内で電気的接続を実現した照明器具。
【請求項５】
請求項４に記載の照明器具であって、
前記係受部は、前記筐体に取り付けられた板ばねであり、
前記係合部を構成する前記ホルダが、前記板ばねに係止された照明器具。
【発明の詳細な説明】
【技術分野】
【０００１】
本発明は、照明器具に関し、特に、有機エレクトロルミネッセンス素子のような面状光源の取り付け構造に関する。
【背景技術】
【０００２】
近年、有機エレクトロルミネッセンス素子などのエレクトロルミネッセンス素子や発光ダイオードなどを用いたエレクトロルミネッセンス素子の開発が進められており、これらは平板状の光源体として注目されている。
有機エレクトロルミネッセンス素子は、陽極と陰極との間に発光機能を有する有機層を挟み、各電極から電子及び正孔を有機層に注入し励起し電荷を発生させ、この励起子が基底状態に戻るときに放射される光を外部に取り出すものである。
このような有機エレクトロルミネッセンス素子は、消費電力の低減および薄型化が可能でかつ所望の色の光を容易に得ることができることから、従来の白熱電球や、蛍光灯などの光源に代わる新しいパネル光源として、種々の用途への適用が期待されている。
【０００３】
このような有機エレクトロルミネッセンス素子の取り付け構造として、本出願人は、有機エレクトロルミネッセンス素子を装着する支持基板の周縁部に面取り加工をし、取り付けやとりはずしの際に把持し易い構造としたものを提案している（特許文献１）。
また、本出願人は、発光パネルに側方から係合して発光パネルを揺動可能に保持する保持部材を備えた照明器具を提案している（特許文献２）。
【０００４】
【特許文献１】特開２００７−１８８６４７号公報
【特許文献２】特開２００７−２５０３０３号公報
【発明の開示】
【発明が解決しようとする課題】
【０００５】
ところで、このようなパネル光源を取り付ける際、既存の照明器具において、光源のみを変えることで、手軽にかつ安価に省エネルギー化をはかるという要求が高まっている。
また、既存の光源を外した場合に、その処分にも困難を伴うことが多く、直管蛍光灯などの既存の光源を取り付けたままの状態で，容易に装着可能な照明器具を提供することが望まれている。
さらにまた、有機エレクトロルミネッセンス素子などの面状光源の薄型化軽量化が進むにつれ、照明器具自体の小型化軽量化、装着の容易性も求められている。
本発明は前記実情に鑑みてなされたもので、装着が容易で軽量の面状光源用の照明器具を提供することを目的とする。
【課題を解決するための手段】
【０００６】
そこで本発明の照明器具は、開口を有する筐体と、前記開口から前記筐体に収容される面状光源とを有する照明器具であって、前記筐体は前記面状光源とは異なる光源を取り付けるソケットを有し、前記ソケットは、前記面状光源とは異なる光源への給電とは独立に、前記面状光源に給電するためのリードを備え、前記面状光源は前記開口から露出しない面に係合部を有することにより、前記係合部を前記筐体内部に設けられた係受部に係合させるように構成され、前記リードは、前記筐体内の、前記面状光源とは異なる光源が装着された状態の前記ソケットと、前記ソケットよりも前記開口側に位置する前記面状光源と、の間の空間において収納されていることを特徴とする。
この構成によれば、小型でかつ軽量であり、面状光源の装着が容易である。また、直管蛍光灯などの既存光源を有機エレクトロルミネッセント素子などの面状光源に置き換える場合に、器具本体を取り替えることなく、そのままの状態で容易に面状光源を装着することが可能となる。
【０００７】
また、本発明は、上記照明器具において、前記筐体内に収納された給電部（点灯回路）を具備し、前記給電部と前記面状光源との間に反射面を具備してなることを特徴とする。
この構成によれば、点灯回路などの給電部と、面状光源との間に反射面を介在させているため、給電部からの熱が面状光源に伝達されにくく、面状光源の長寿命化をはかることが可能となる。
【０００８】
また、本発明は、上記照明器具において、前記面状光源は、面発光モジュールであり、前記反射面は、前記面発光モジュールの反射性電極であるものを含む。
この構成によれば、軽量で、かつ、既存光源をそのままにしても内部が見えないため意匠性の向上を図ることができる。なお、点灯回路からの熱が問題となる場合には、点灯回路を既存光源の背面に配置することで、面状光源への熱の影響を低減することが出来る。
【０００９】
また、本発明は、上記照明器具において、前記面発光モジュールは、支持基板上に、第１電極と、発光機能層と、第２電極とを順次積層するとともに、前記第１及び第２電極が前記支持基板の１辺側に導出され、前記第１及び第２電極にそれぞれ接続された第１及び第２端子を備えた給電端子部と、を具備した有機エレクトロルミネッセンス素子を具備し、前記給電部は、前記有機エレクトロルミネッセンス素子の１辺をコの字状に覆うホルダを具備し、前記第１端子と前記第２端子は、同一辺の端縁を挟んで相対向する面上に設けられ、前記ホルダ内で電気的接続を実現したものを含む。
この構成によれば、給電と把持をホルダで同時に実現することが出来、装着が容易である。
【００１０】
また、本発明は、上記照明器具において、前記係受部は、前記筐体に取り付けられた板ばねであり、前記係合部を構成する前記ホルダが、前記板ばねに係止されたものを含む。
この構成により、極めて簡単な構成で、装着及び通電が可能となる。
【発明の効果】
【００１１】
以上説明したように、本発明の照明器具によれば、既存の光源を有機エレクトロルミネッセンス素子などの面状光源に取り替える場合にも、装着が容易で、意匠性の向上を図ることができる。
【発明を実施するための最良の形態】
【００１２】
以下、本発明の実施の形態について図面を参照しつつ詳細に説明する。
（実施の形態１）
本発明の実施の形態１の照明器具は、図１乃至３に示すように、開口Ｏを有する筐体１と、前記開口Ｏから前記筐体１に収容される面発光モジュール（面状光源）としての有機エレクトロルミネッセンス素子５とを有する。この有機エレクトロルミネッセンス素子５は、開口Ｏより内側に位置し、開口Ｏから露出しない面（すなわち内側の面）に係合部を構成するホルダ５０１を有し、このホルダ５０１を筐体１内部に設けられた係受部としての板ばね４に係合させるように構成する。ここでこの筐体１内には点灯回路を構成する給電部７が設けられており、ソケット３を介して導出されたリード６に、有機エレクトロルミネッセンス素子５の電極部が接続される。
【００１３】
なお、この面状発光モジュールを構成する有機エレクトロルミネッセンス素子５は、図３に概要図を示すように、支持基板５００上に、第１電極５１０としてのＩＴＯ電極と、発光機能層５２０と、第２電極５３０としての反射性電極とが順次積層されている。また、有機エレクトロルミネッセンス素子５は、前記第１及び第２電極５１０，５３０が前記支持基板５００の１辺側に導出され、前記第１及び第２電極５１０，５３０にそれぞれ接続された第１及び第２端子５１１，５１３を備えた給電端子部を具備している。ここで、給電端子部は、前記有機エレクトロルミネッセンス素子５の１辺をコの字状に覆うホルダ５０１（図１参照）と係合し、前記第１端子と前記第２端子５１１，５１３は、同一面側に設けられ、ホルダ５０１の端子部５０１ａ、５０１ｂ内でそれぞれの電位に電気的接続を実現している。一方他の周縁には、電気的接続はされないが、周縁部の補強と筐体１への係止部を兼ねた支持部５０１ｃが設けられている。そしてこれら、端子部５０１ａ、５０１ｂと支持部５０１ｃとからなるホルダ５０１が、係受部としての板ばね４に係合せしめられている。
【００１４】
このように、有機エレクトロルミネッセンス素子５に断面コの字状のホルダ５０１（５０１ａ、５０１ｂ、５０１ｃ）が装着され、ソケット３からリード６を介して、有機エレクトロルミネッセンス素子５への通電がなされると共に、筐体１に対して有機エレクトロルミネッセンス素子５の保持を行なっている。
【００１５】
次にこの照明器具を用いて、従来の直管蛍光灯仕様から有機エレクトロルミネッセンス素子仕様に変化させる例について説明する。
まず、蛍光灯使用時には、図４（ａ）に示すように、ソケット３を介して直管蛍光灯８が取り付けられ、拡散用のルーパ９が、筐体１の側壁の反射板２に取り付けられた板ばね４によって開口Ｏを塞ぐように取り付けられている。
この状態から、図４（ｂ）に示すように、ルーパ９のみを外す。
そして、図４（ｃ）に示すように、リード６を介して有機エレクトロルミネッセンス素子５と給電部７に接続されたソケット３とを接続し、ホルダ５０１を係受部である板ばね４に係合させ、図１に示したような照明器具が完成する。
【００１６】
この構成によれば、古い直管蛍光灯を用いた照明器具をそのまま利用し、しかも直管蛍光灯を取り付けたまま、面状光源を装着して照明器具とすることができる。
【００１７】
また、ソケット３に直管蛍光灯８などを取り付けることで既存の照明器具を構成しており、既存光源を有機エレクトロルミネッセンス素子５などの面状光源に置き換える場合に、器具本体を取り替えることなく、そのままの状態で容易に面状光源を装着することが可能となる。
また、本発明の照明器具によれば、ホルダ５０１の端子部５０１ａ、５０１ｂ内で給電と把持をホルダ５０１で同時に実現することが出来る。
さらにまた、点灯回路などの給電部７と、有機エレクトロルミネッセンス素子５の発光部との間に有機エレクトロルミネッセンス素子５の反射性電極（第２電極５３０）が介在しているため、軽量で、かつ、既存光源をそのままにしても内部が見えないため意匠性の向上を図ることができる。なお、給電部７の点灯回路などからの熱が問題となる場合には、点灯回路を既存光源の背面に配置することで、給電部７からの熱が有機エレクトロルミネッセンス素子５に伝達されにくく、有機エレクトロルミネッセンス素子５への熱の影響も低減することが出来、有機エレクトロルミネッセンス素子５の長寿命化をはかることが可能となる。
【００１８】
なお別途、金属板など板状の基板を取り付けるようにしてもよい。これにより、給電部７からの熱を遮断することができ、有機エレクトロルミネッセンス素子５が高温となるのを防ぐことができる。
また、有機エレクトロルミネッセンス素子５からの発熱による熱を放熱するという作用も奏功する。
【００１９】
（実施の形態２）
本発明の実施の形態２の照明器具は、直管蛍光灯との併用器具ではなく、専用の器具である。図５に示すように、天井面Ｔに取り付けられ、開口Ｏを有する筐体１１と、前記開口Ｏから前記筐体１１に収容される面発光モジュールとしての有機エレクトロルミネッセンス素子５とを有する。この有機エレクトロルミネッセンス素子５は前記実施の形態１で用いられた面状光源と同様、開口Ｏより露出しない面に係合部を構成するホルダ５０１を有し、このホルダ５０１を筐体１内部に設けられた係受部としての板ばね４に係合させるように構成したことを特徴とする。ここでこの筐体１内には点灯回路を構成する給電部７が設けられており、ソケット３を介して導出されたリード６に、有機エレクトロルミネッセンス素子５の電極部が接続される。
【００２０】
なお、この面状発光モジュールを構成する有機エレクトロルミネッセンス素子５は、図３に概要図を示した、実施の形態１の有機エレクトロルミネッセンス素子５と同様に形成されている。
【００２１】
この照明器具においても、有機エレクトロルミネッセンス素子５に断面コの字状のホルダ５０１（端子部５０１ａ、５０１ｂ）が装着され、給電部７からリード６を介して、有機エレクトロルミネッセンス素子５への通電がなされる。
【００２２】
この構成によれば、有機エレクトロルミネッセンス素子５がホルダ５０１を介して板ばね４で係止めされており、極めて簡単な構成で軽量でかつ信頼性の高い取り付けが可能となる。
【００２３】
なお、ホルダ５０１としては、金属製のホルダに代えて弾性を有する絶縁性樹脂で構成したホルダの内壁に導電性パターンを形成することで、導電性パターンの設計に応じて、自在に設計可能であり、有機エレクトロルミネッセンス素子５の第１端子５１１を第２端子５１３と相対向する面側に導出することもでき、種々の構成に適用可能であることはいうまでもない。
【００２４】
また、前記実施の形態では、面発光モジュールとして有機エレクトロルミネッセンス素子を用いたが無機エレクトロルミネッセンス素子や他の発光装置を用いるようにしてもよい。さらにまた、本実施の形態の面発光モジュールは照明装置のみならず有機エレクトロルミネッセンス表示装置など他のデバイスにも適用可能であることはいうまでもない。
【図面の簡単な説明】
【００２５】
【図１】本発明の実施の形態１に係る照明器具を示す図
【図２】本発明の実施の形態１に係る照明器具の面発光モジュールを示す斜視図
【図３】本発明の実施の形態１に係る照明器具の面発光素子を示す分解斜視図
【図４】本発明の実施の形態１に係る照明器具の組み立て工程を示す図
【図５】本発明の実施の形態２に係る照明器具を示す図
【図６】本発明の実施の形態２に係る照明器具の面発光モジュールを示す斜視図
【符号の説明】
【００２６】
１、１１  筐体
２  反射板（反射面）
３  ソケット
４  板ばね（係受部）
５  有機エレクトロルミネッセンス素子（面発光モジュール、面状光源）
５００  支持基板
５０１  ホルダ（係合部）
５０１ａ、５０１ｂ  端子部
５０１ｃ  支持部
５１０  第１電極
５３０  第２電極（反射性電極、反射面）
６  リード
７  給電部
８  直管蛍光灯
９  ルーバ
Ｏ  開口
【図１】
0005424451.tif 000002
【図２】
0005424451.tif 000003
【図３】
0005424451.tif 000004
【図４】
0005424451.tif 000005
【図５】
0005424451.tif 000006
【図６】
0005424451.tif 000007